(57)【特許請求の範囲】
【請求項１】
入力されたカラー画像信号の同期信号に基づいて所定の周波数と位相のクロックを発生して出力するクロック発生手段と、
前記入力されたカラー画像信号を前記クロックでサンプリングしてディジタルの画像信号に変換するＡ／Ｄ変換手段と、
前記入力されたカラー画像信号の水平同期信号の周波数が予め設定された周波数よりも高いか否かを判別する水平同期周波数判別手段と、
前記水平同期周波数判別手段の判別結果に基づいて、前記入力されたカラー画像信号の同期信号に対して所定の間引き処理を行い、間引き処理後の同期信号を出力する同期信号処理手段と、
前記同期信号処理手段からの前記間引き処理後の同期信号に基づいて、間引きされた同期信号に対応する画像信号を前記Ａ／Ｄ変換手段より入力された画像信号から間引いて出力する画像信号処理手段と、
前記画像信号処理手段から出力される画像信号を表示パネルに表示させる画像表示手段とを備え、
前記水平同期周波数判別手段において、入力されたカラー画像信号の水平同期信号の周波数が予め設定された周波数よりも高いと判別された場合は、入力されている画像信号の種類の変更を指示するメッセージを前記表示パネルの一部に表示することを特徴とする画像表示装置。
【請求項２】
同期信号処理手段は、入力された画像信号の偶数ラインあるいは奇数ラインの画像信号のいずれか一方に対応する水平同期信号を入力された同期信号から間引くことを特徴とする請求項１に記載の画像表示装置。
【請求項３】
同期信号処理手段は、入力された画像信号のｎフィールド目（ｎは正の整数）は偶数ラインに対応する水平同期信号を、ｎ＋１フィールド目は奇数ラインに対応する水平同期信号を、入力された同期信号から間引くとを特徴とする請求項１に記載の画像表示装置。
【請求項４】
同期信号処理手段は、入力された画像信号のｎフィールド目（ｎは正の整数）あるいはｎ＋１フィールド目のいずれか一方に対応する垂直同期信号を、入力された同期信号からさらに間引くとを特徴とする請求項３に記載の画像表示装置。
【請求項５】
少なくとも１フィールド分の奇数ラインおよび偶数ラインの画像データを記憶する記憶手段を備え、
同期信号処理手段は、入力された画像信号のｎフィールド目の偶数ラインに対応する水平同期信号と、ｎ＋１フィールド目の奇数ラインに対応する水平同期信号とを間引いて、間引き処理後の同期信号を出力するとともに、
画像信号処理手段は、前記同期信号処理手段からの前記間引き処理後の同期信号に基づいて、ｎフィールド目の奇数ラインの画像信号とｎ＋１フィールド目の偶数ラインの画像信号をそれぞれ順次前記記憶手段に書き込んで記憶させ、前記記憶手段から画像信号を読み出す際には、記憶された各ラインの画像信号を所定の順番で順次読み出して、ｎフィールド目の奇数ラインの画像信号とｎ＋１フィールド目の偶数ラインの画像信号を合成して出力することを特徴とする請求項１に記載の画像表示装置。
【請求項６】
入力されたカラー画像信号の同期信号に基づいて所定の周波数と位相のクロックを発生して出力する工程と、
前記入力されたカラー画像信号を前記クロックでサンプリングしてディジタルの画像信号に変換して出力する工程と、
前記入力されたカラー画像信号の水平同期信号の周波数が予め設定された周波数よりも高いか否かを判別する工程と、
前記水平同期信号の周波数の判別結果に基づいて、前記入力されたカラー画像信号の同期信号に対して所定の間引き処理を行い、間引き処理後の同期信号を出力する工程と、
前記間引き処理後の同期信号に基づいて、間引きされた同期信号に対応する画像信号を前記ディジタルの画像信号から間引いて表示パネルに表示させる工程とを備え、
前記入力されたカラー画像信号の水平同期信号の周波数が予め設定された周波数よりも高いと判別された場合は、入力されている画像信号の種類の変更を指示するメッセージを前記表示パネルの一部に表示することを特徴とする画像表示方法。
【請求項７】
入力された画像信号を間引く際に、偶数ラインか奇数ラインのどちらか一方の画像信号を間引いて表示することを特徴とする請求項６に記載の画像表示方法。
【請求項８】
入力された画像信号を間引く際に、フィールド毎に偶数ラインと奇数ラインの画像信号を交互に間引いて、入力された画像信号の一部を表示することを特徴とする請求項６に記載の画像表示方法。
【請求項９】
入力された画像信号を間引く際に、ｎフィールド目は偶数ラインの画像信号を間引き、ｎ＋１フィールド目は奇数ラインの画像信号を間引いて、表示パネルの一部にｎフィールド目の奇数ラインの画像を表示し、残りの部分にｎ＋１フィールド目の偶数ラインの画像を表示することを特徴とした請求項６に記載の画像表示方法。
【請求項１０】
入力された画像信号を間引く際に、ｎフィールド目は偶数ラインを間引き、ｎ＋１フィールド目は奇数ラインを間引いて、表示パネルの奇数ラインにｎフィールド目の奇数ラインの画像を表示し、前記表示パネルの偶数ラインにｎ＋１フィールド目の偶数ラインの画像を表示することを特徴とした請求項６記載の画像表示方法。
【発明の詳細な説明】
【０００１】
【発明の属する技術分野】
この発明は、画像表示装置および画像表示方法に係わるものであり、より詳しくは液晶パネルやディジタル・ミラー・デバイス（ＤＭＤ）、あるいはフィールド・エミッション・ディスプレイ（ＦＥＤ）などのマトリクス型ディスプレイデバイスなど（以下、単に表示パネルと称す。）で構成されたモニターやデータプロジェクタ等の同期信号周波数の異なる複数の画像信号のいずれかが入力される画像表示装置およびその表示方法に係わる。
【０００２】
【従来の技術】
図１９は、従来の画像表示装置を示す図である。
図において１は画像信号入力端子、２はＡ／Ｄ変換器、４は表示パネル、５は水平同期信号入力端子、６は垂直同期信号入力端子、９はクロック発生回路、１０３は画像信号処理回路、１１０は駆動回路、ＨＤは水平同期信号、ＶＤは垂直同期信号、ＣＫはクロック、ＤＳ１は表示パネル４の駆動信号である。
【０００３】
次に動作について説明する。水平同期信号ＨＤが水平同期信号入力端子５に入力されると同時に、垂直同期信号ＶＤが垂直同期信号入力端子６に入力される。
また、水平同期信号ＨＤと垂直同期信号ＶＤに同期した画像信号が画像信号入力端子１に入力される。
クロック発生器９は、水平同期信号入力端子５から入力された水平同期信号ＨＤに基づいて所定の周波数のクロックＣＫを発生させる。クロック発生器９で発生したクロックＣＫは、Ａ／Ｄ変換器２、画像信号処理回路１０３、駆動回路１１０に供給される。
Ａ／Ｄ変換器２は、クロックＣＫのタイミングで画像信号入力端子１から入力された画像信号をサンプリングしてディジタルの画像データに変換する。
【０００４】
Ａ／Ｄ変換器２で変換されたディジタルの画像データＤｉは画像信号処理回路１０３に入力され、所定の画像信号処理が行われる。画像信号処理回路１０３で処理されたディジタルの画像データＤｉは表示パネル４に入力される。
一方、駆動回路１１０は、水平同期信号入力端子５から入力された水平同期信号ＨＤと垂直同期信号入力端子６から入力された垂直同期信号ＶＤを基準として表示パネル４を駆動するための駆動信号ＤＳ１を発生する。
表示パネル４は画像信号処理回路１０３が出力した画像データを駆動回路１１０が出力した駆動信号ＤＳ１に基づいて画像を表示する。
【０００５】
【発明が解決しようとする課題】
従来の画像表示装置は、以上のように構成されていたので、入力される画像信号の水平同期信号ＨＤの周波数が、表示パネル４で表示可能な予め設定された所定の周波数より高い場合には、画像を正常に表示することができないか、あるいはユーザーが入力されている画像の種類を認識できないほど表示が乱れるため、表示パネル４に表示された画像を見ながら入力画像信号の水平同期信号周波数を表示パネル４に表示できる周波数に変更することができない。
より詳しくは、例えば画像表示装置と接続されているパーソナルコンピュータで画像の解像度やリフレッシュレートを変更するときに、水平同期周波数を接続されている画像表示装置に表示できる水平同期周波数よりも高い周波数に誤って設定してしまった場合に、設定変更後の画像が表示パネル４に表示されないか画像を認識することができないほど表示が乱れるため、画面を見ながら変更前の周波数に戻したり、表示パネル４に表示できる周波数以下に設定し直すことができないという問題点があった。
【０００６】
この発明は以上のような問題点を解決するためになされたもので、表示パネル４に表示できないような水平同期周波数の画像信号が入力された場合でも、どのような種類の画像信号が入力しているのかを確認でき、水平同期周波数を容易に最適な周波数に再設定できる程度の表示を可能にする画像表示装置を得ることを目的とする。
【０００７】
【課題を解決するための手段】
この発明に係る画像表示装置は、入力されたカラー画像信号の同期信号に基づいて所定の周波数と位相のクロックを発生して出力するクロック発生手段と、入力されたカラー画像信号をクロックでサンプリングしてディジタルの画像信号に変換するＡ／Ｄ変換手段と、入力されたカラー画像信号の水平同期信号の周波数が予め設定された周波数よりも高いか否かを判別する水平同期周波数判別手段と、水平同期周波数判別手段の判別結果に基づいて、入力されたカラー画像信号の同期信号に対して所定の間引き処理を行い、間引き処理後の同期信号を出力する同期信号処理手段と、該同期信号処理手段からの前記間引き処理後の同期信号に基づいて、間引きされた同期信号に対応する画像信号をＡ／Ｄ変換手段より入力された画像信号から間引いて出力する画像信号処理手段と、該画像信号処理手段から出力される画像信号を表示パネルに表示させる画像表示手段とを備え、水平同期周波数判別手段において、入力されたカラー画像信号の水平同期信号の周波数が予め設定された周波数よりも高いと判別された場合は、入力されている画像信号の種類の変更を指示するメッセージを表示パネルの一部に表示することを特徴とする画像表示装置。
【０００８】
また、この発明に係る画像表示装置の同期信号処理手段は、入力された画像信号の偶数ラインあるいは奇数ラインの画像信号のいずれか一方に対応する水平同期信号を入力された同期信号から間引くことを特徴とするものである。
【０００９】
また、この発明に係る画像表示装置の同期信号処理手段は、入力された画像信号のｎフィールド目（ｎは正の整数）は偶数ラインに対応する水平同期信号を、ｎ＋１フィールド目は奇数ラインに対応する水平同期信号を、入力された同期信号から間引くことを特徴とするものである。
【００１０】
また、この発明に係る画像表示装置の同期信号処理手段は、入力された画像信号のｎフィールド目（ｎは正の整数）あるいはｎ＋１フィールド目のいずれか一方に対応する垂直同期信号を、入力された同期信号からさらに間引くことを特徴とするものである。
【００１１】
また、この発明に係る画像表示装置は、少なくとも１フィールド分の奇数ラインおよび偶数ラインの画像データを記憶する記憶手段を備え、同期信号処理手段は、入力された画像信号のｎフィールド目の偶数ラインに対応する水平同期信号と、ｎ＋１フィールド目の奇数ラインに対応する水平同期信号とを間引いて、間引き処理後の同期信号を出力するとともに、画像信号処理手段は、同期信号処理手段からの前記間引き処理後の同期信号に基づいて、ｎフィールド目の奇数ラインの画像信号とｎ＋１フィールド目の偶数ラインの画像信号をそれぞれ順次記憶手段に書き込んで記憶させ、記憶手段から画像信号を読み出す際には、記憶された各ラインの画像信号を所定の順番で順次読み出して、ｎフィールド目の奇数ラインの画像信号とｎ＋１フィールド目の偶数ラインの画像信号を合成して出力するように構成したものである。
【００１３】
また、この発明に係る画像表示方法は、入力されたカラー画像信号の同期信号に基づいて所定の周波数と位相のクロックを発生して出力する工程と、
前記入力されたカラー画像信号を前記クロックでサンプリングしてディジタルの画像信号に変換して出力する工程と、
前記入力されたカラー画像信号の水平同期信号の周波数が予め設定された周波数よりも高いか否かを判別する工程と、
前記水平同期信号の周波数の判別結果に基づいて、前記入力されたカラー画像信号の同期信号に対して所定の間引き処理を行い、間引き処理後の同期信号を出力する工程と、
前記間引き処理後の同期信号に基づいて、間引きされた同期信号に対応する画像信号を前記ディジタルの画像信号から間引いて表示パネルに表示させる工程とを備え、
前記入力されたカラー画像信号の水平同期信号の周波数が予め設定された周波数よりも高いと判別された場合は、入力されている画像信号の種類の変更を指示するメッセージを前記表示パネルの一部に表示するようにしたものである。
【００１４】
また、この発明に係る画像表示方法は、入力された画像信号を間引く際に、偶数ラインか奇数ラインのどちらか一方の画像信号を間引いて表示するようにしたものである。
【００１５】
また、この発明に係る画像表示方法は、入力された画像信号を間引く際に、フィールド毎に偶数ラインと奇数ラインの画像信号を交互に間引いて、入力された画像信号の一部を表示することを特徴とするものである。
【００１６】
また、この発明に係る画像表示方法は、入力された画像信号を間引く際に、ｎフィールド目は偶数ラインの画像信号を間引き、ｎ＋１フィールド目は奇数ラインの画像信号を間引いて、表示パネルの一部にｎフィールド目の奇数ラインの画像を表示し、残りの部分にｎ＋１フィールド目の偶数ラインの画像を表示するようにしたものである。
【００１７】
また、この発明に係る画像表示方法は、入力された画像信号を間引く際に、ｎフィールド目は偶数ラインを間引き、ｎ＋１フィールド目は奇数ラインを間引いて、表示パネルの奇数ラインにｎフィールド目の奇数ラインの画像を表示し、表示パネルの偶数ラインにｎ＋１フィールド目の偶数ラインの画像を表示するようにしたものである。
【００１９】
【発明の実施の形態】
実施の形態１．
図１は、この発明の実施の形態１における画像表示装置を示す図である。
図において、１は画像信号入力端子、２はＡ／Ｄ変換器、３は画像信号処理回路、４は表示パネル、５は水平同期信号入力端子、６は垂直同期信号入力端子、７は同期信号処理回路、８はコントローラ、９はクロック発生器、１０は駆動回路、ＨＤは入力される水平同期信号、ＶＤは入力される垂直同期信号である。
また、ＣＫはクロック発生器９が発生するクロック、ＨＳは同期処理回路７で処理された水平同期信号、ＶＳは同期処理回路７で処理された垂直同期信号、ＤｉはＡ／Ｄ変換器２でサンプリングされたディジタルの画像データ、Ｄｐは画像信号処理回路３で処理された画像データ、ＤＳは表示パネル４の駆動信号、ＴＤは制御信号である。
なお、ＲＤは同期信号処理回路７が発生した同期信号の周波数計測結果などのデータで、詳細は後述する。
【００２０】
図２は、この発明の実施の形態１における同期信号処理回路７の詳細を示す図である。  図において１１は周波数計測器、１２は同期信号間引き回路、ＲＤは周波数計測結果である。
図３は、この発明の実施の形態１における１フィールド期間の同期信号処理回路７および画像信号処理回路の動作を説明するための図である。
図において、ｎ（１）からｎ（ｍ）は、入力された画像信号の任意のフィールドにおけるライン番号を示し、例えばｎ（ｍ）は、第ｎフィールドのｍライン目を示している。
図４、および図５は、この発明の実施の形態１における画像表示方法を示す図である。
図においてライン番号は、図３に示したライン番号と同一である。
【００２１】
次に動作について説明する。
水平同期信号ＨＤが水平同期信号入力端子５に入力される。また、垂直同期信号ＶＤが垂直同期信号入力端子６に入力される。
一方、画像信号入力端子１には、例えばＲ，Ｇ，Ｂの３原色で構成される画像信号が入力される。
なお、入力される画像信号は、水平同期信号ＨＤと垂直同期信号ＶＤに同期している。
水平同期信号ＨＤは同期処理回路７とクロック発生器９に入力される。また、垂直同期信号ＶＤは同期信号処理回路７に入力される。
同期信号処理回路７は、入力された水平同期信号ＨＤと垂直同期信号ＶＤに対して所定の間引き処理を施し、間引き処理後の水平同期信号ＨＳと垂直同期信号ＶＳを画像信号処理回路３と駆動回路１０に出力する。同期信号処理回路７における間引き処理の詳細の動作は後述する。
【００２２】
クロック発生回路９は、入力された水平同期信号ＨＤに基づいて所定の周波数のクロックＣＫを発生する。
クロック発生回路９が発生したクロックＣＫは、Ａ／Ｄ変換器２、画像信号処理回路３、駆動回路１０に入力される。
Ａ／Ｄ変換器２は、入力されたクロックＣＫに基づいて、前記入力された画像信号をサンプリングしてディジタルの画像データＤｉに変換する。
Ａ／Ｄ変換器２で変換されたディジタルの画像データＤｉは、画像信号処理回路３に入力される。
画像信号処理回路３は、入力されたディジタルの画像データＤｉを同期信号処理回路７で処理された水平同期信号ＨＳと垂直同期信号ＶＳを基準として所定の処理を行う。
【００２３】
駆動回路１０は、同期信号処理回路７で間引き処理された水平同期信号ＨＳ、垂直同期信号ＶＳ、およびコントローラ８が出力する制御信号ＴＤに基づいて、表示パネル４の駆動信号ＤＳを生成する。
駆動回路１０が生成した駆動信号ＤＳは画像信号処理回路３と表示パネル４に入力され、画像信号処理回路３は駆動信号ＤＳを基準として処理後の画像データＤｐを表示パネル４に出力する。
表示パネル４は画像信号処理回路３が出力する画像データＤｐを、駆動回路１０が出力する駆動信号ＤＳに基づいて表示する。
【００２４】
次に、同期信号処理回路７の動作を図２に基づいて説明する。
水平同期信号入力端子５から入力された水平同期信号ＨＤと垂直同期信号入力端子６から入力された垂直同期信号ＶＤは、周波数計測器１１と同期信号間引き回路１２に入力される。
周波数計測器１１は、入力された水平同期信号ＨＤと垂直同期信号ＶＤの周波数を計測し、計測結果ＲＤをコントローラ８に出力する。
コントローラ８は、周波数計測器１１が出力する計測結果ＲＤから入力された画像信号の種類を判別する。
【００２５】
即ち、コントローラ８は、周波数計測器１１が出力する計測結果ＲＤから入力された画像信号が予め設定された周波数より高い水平同期信号を有している画像信号の種類であるか否かを判別し、入力された画像信号の水平同期周波数が予め設定された周波数より高い場合、より詳しくは、入力された画像信号の１ラインの期間に１ライン分の処理ができないために表示パネル４に正しく画像を表示できない場合に、所定の割合で同期信号を間引くように制御信号ＴＤを同期信号間引き回路１２と駆動回路１０に出力する。
同期信号間引き回路１２は、コントローラ８が出力する制御信号ＴＤに基づいて、所定の割合で同期信号の間引き処理を行い、間引き処理後の水平同期信号ＨＳと垂直同期信号ＶＳを出力する。
【００２６】
次に、同期信号間引き回路１２と画像信号処理回路３の動作を図３に基づいて説明する。
同期信号間引き回路１２は、コントローラ８が出力する制御信号ＴＤにより、所定の割合で同期信号の間引き処理を行い、間引き処理後の水平同期信号ＨＳと垂直同期信号ＶＳを出力する。
図３は、例えば、入力された画像信号の水平同期周波数が予め設定された周波数のおよそ４／３倍である場合に、コントローラ８からは同期信号間引き回路１２が４ライン毎に１ラインずつの水平同期信号ＨＤを間引くような制御信号ＴＤが同期信号間引き回路１２に入力され、この制御信号ＴＤに基づいて水平同期信号ＨＤの間引き処理後の水平同期信号ＨＳを出力した場合を示している。
なお、この例では、垂直同期信号ＶＳの間引きは行っていない。
【００２７】
画像信号処理回路３は、間引き処理後の水平同期信号ＨＳを基準に、水平同期信号が間引かれたラインのディジタルの画像データＤｉを間引いて、表示パネル４に画像データＤｐを出力するので、表示パネル４には間引かれたラインの画像データｎ（４）やｎ（ｍ）は表示されない。
このように、水平同期信号ＨＤと画像データＤｉは、入力された画像信号の水平同期周波数が予め設定された周波数のおよそ４／３倍のときに３／４倍に間引かれると同時に、間引き処理後の水平同期信号ＨＳと画像データＤｐが３／４倍の周波数で表示パネル４に出力されるので、入力された水平同期信号ＨＤの水平周波数が予め設定された周波数より高い場合であっても、表示パネル４に入力された画像信号の一部が間引かれた画像を表示することができる。
即ち、水平周波数が予め設定された周波数より高い画像信号が入力された場合であっても、視聴者はどのような種類の画像信号が入力されているのかを容易に確認することができる。
従って、画面を見ながら変更前の周波数に戻したり、表示パネル４に表示できる周波数以下に設定し直すことが可能となる。
【００２８】
図４および図５は、この発明の実施の形態１における画像表示方法の１例を示す図であり、より詳しくは、同期信号間引き回路１２および画像処理回路３が図３に示したように、入力された水平同期信号ＨＤと画像データＤｉのライン数を３／４に間引いた場合における表示パネル４の表示画像を示している。
図においてＤｉとＤｐに示されたライン番号は図３のライン番号に対応している。
なお、前記動作の説明では、同期信号処理回路１２が水平同期信号ＨＤを３／４に間引き、画像信号処理回路３が画像信号のライン数を３／４に間引く処理について説明したが、これに限るものではなく、入力される画像信号の種類と表示パネル４の関係に応じて、任意に設定することができる。
また、図４では、表示パネル４の一番目のラインから画像データＤｐを表示する場合について示したが、これに限るものではなく、任意のライン数から表示を行うことができる。
【００２９】
また、図５に示したように、入力された画像信号の水平同期周波数が表示パネル４に表示可能な、あらかじめ設定された周波数の上限より高いことを示す警告や、入力された画像信号の水平同期周波数の変更を促すメッセージを、表示パネル４の一部に表示して、ユーザーに入力された画像信号の種類を変更するように通知することができる。
【００３０】
実施の形態２．
図６は、この発明の実施の形態２における同期信号間引き回路１２と画像信号処理回路３の動作を示す図である。
なお、同期信号と画像信号の間引き処理以外の動作は、実施の形態１と同様であるので詳細な動作の説明は省略する。
同期信号間引き回路１２は、コントローラ８が出力する制御信号ＴＤにより、２ライン毎に１ラインの水平同期信号ＨＤを間引き、間引き処理後の水平同期信号ＨＳを出力する。
この時、垂直同期信号ＶＳの間引き処理は行わない。また、画像信号処理回路３は水平同期信号が間引かれたラインと同一のラインの画像データＤｉを間引いて、間引き処理後の画像データＤｐを表示パネル４に出力する。
【００３１】
図６は、水平同期信号ＨＤと画像データＤｉから偶数ラインを間引いた場合について示している。
間引き処理後の水平同期信号ＨＳと間引き処理後の画像データＤｐは奇数ラインのみで構成されているので、表示パネル４には、入力された画像信号の偶数ラインのデータは表示されない。
このように、水平同期信号ＨＤと画像データＤｉは、入力された画像信号の水平同期周波数が、予め設定された周波数より高い時に１／２に間引かれると同時に、間引き処理後の水平同期信号ＨＳと画像データＤｐは、１／２の周波数で表示パネル４に出力されるので、入力された画像信号の水平同期周波数が予め設定された周波数より高く、入力された画像信号を表示できない場合であっても、表示パネル４に入力された画像信号の一部の画像が間引かれた画像を表示することができる。
従って、画面を見ながら変更前の周波数に戻したり、表示パネル４に表示できる周波数以下に設定し直すことが可能となる。
【００３２】
図７は、この発明の実施の形態２による画像表示方法を示す図である。
図６に示したように、同期信号間引き回路１２および画像処理回路３が偶数ラインの水平同期信号ＨＤと偶数ラインの画像データＤｉを間引くことで、表示パネル４の上半分には入力された画像信号の奇数ラインのみが表示される。
なお、前記動作の説明では、同期信号間引き回路１２が水平同期信号ＨＤから偶数ラインを間引いた処理の場合について示したが、水平同期信号ＨＤの奇数ラインを間引くことで、入力された画像信号の偶数ラインを表示パネル４に表示することができる。
また、図７では表示パネル４の上半分に画像データＤｐを表示する場合について示したが、特にこれに限るものではなく、任意のライン数から表示することができる。
【００３３】
図８は、この発明の実施の形態２における画像表示方法の別の一例を示す図である。
図８に示したように、表示パネル４の半分の領域に画像データＤｐを表示すると同時に、入力された画像信号の水平同期周波数が、表示パネル４に表示可能な、予め設定された周波数の上限より高いことを示す警告や、入力された画像信号の水平同期周波数の変更を促すメッセージを、表示パネル４の一部に表示して、ユーザーに入力された画像信号の種類を変更するように通知することができる。
【００３４】
実施の形態３．
図９は、この発明の実施の形態３における同期信号間引き回路１２と画像信号処理回路３の動作を説明するための図である。
なお、同期信号と画像信号の間引き処理以外の動作は、実施の形態１と同様であるので詳細な動作の説明は省略する。
同期信号間引き回路１２は、コントローラ８が出力する制御信号ＴＤにより、第ｎフィールドの偶数ラインと第ｎ＋１フィールドの奇数ラインの水平同期信号ＨＤを間引いて、間引き処理後の水平同期信号ＨＳを出力する。
この時、垂直同期信号ＶＳの間引き処理は行わない。また、画像信号処理回路３は水平同期信号が間引かれたラインと同一のライン、すなわち第ｎフィールドの偶数ラインと第ｎ＋１フィールドの奇数ラインの画像データＤｉを間引いて、間引き処理後の画像データＤｐを表示パネル４に出力する。
【００３５】
図９は、水平同期信号ＨＤと画像データＤｉから第ｎフィールドの偶数ラインと第ｎ＋１フィールドの奇数ラインの水平同期信号ＨＤを間引いた場合について示している。
第ｎフィールドの間引き処理後の水平同期信号ＨＳと間引き処理後の画像データＤｐは奇数ラインで構成され、第ｎ＋１フィールドの間引き処理後の水平同期信号ＨＳと間引き処理後の画像データＤｐは偶数ラインで構成されているので、第ｎフィールドの偶数ラインと第ｎ＋１フィードの奇数ラインの画像データは表示されない。
【００３６】
このように、水平同期信号ＨＤと画像データＤｉは、入力された画像信号の水平同期周波数が予め設定された周波数より高い時に１／２に間引かれると同時に、間引き処理後の水平同期信号ＨＳと画像データＤｐは、１／２の周波数で表示パネル４に出力されるので、入力された画像信号の水平同期周波数が予め設定された周波数より高い場合であっても、表示パネル４に入力された画像信号の一部が間引きされた画像信号を表示することができる。
従って、画面を見ながら変更前の周波数に戻したり、表示パネル４に表示できる周波数以下に設定し直すことが可能となる。
【００３７】
図１０は、この発明の実施の形態３による画像表示方法を示す図である。
同期信号間引き回路１２が、図９に示したように第ｎフィールドの偶数ラインと第ｎ＋１フィールドの奇数ラインを間引くので、第ｎフィールドでは入力された画像信号の奇数ラインが表示パネル４の一部に表示され、第ｎ＋１フィールドでは入力された画像信号の偶数ラインが表示パネル４の一部に表示される。
なお、図１０では表示パネル４の上半分に画像データＤｐを表示する場合について示したが、これに限るものではなく任意のライン数から表示することができる。
【００３８】
図１１は、この発明の実施の形態３における画像表示方法の別の一例を示す図である。
図１１に示したように、表示パネル４の半分の領域に画像データＤｐを表示すると同時に、入力された画像信号の水平同期周波数が、表示パネル４に表示可能な、あらかじめ設定された周波数の上限より高いことを示す警告や、入力された画像信号の水平同期周波数の変更を促すメッセージを、表示パネル４の一部に表示して、ユーザーに入力された画像信号の種類を変更するように通知することができる。
【００３９】
実施の形態４．
図１２は、この発明の実施の形態４における同期信号間引き回路１２および画像信号処理回路３の動作を説明するための図である。
なお、同期信号と画像信号の間引き処理以外の動作は、実施の形態１と同様であるので詳細な動作の説明は省略する。
同期信号間引き回路１２は、コントローラ８が出力する制御信号ＴＤにより、入力された水平同期信号ＨＤから第ｎフィールドの偶数ラインと第ｎ＋１フィールドの奇数ラインに対応する水平同期信号を間引いて、間引き処理後の水平同期信号ＨＳを出力すると同時に、入力された垂直同期信号ＶＤから第ｎ＋１フィールドを間引いて、間引き処理後の垂直同期信号ＶＳを出力する。
また、画像信号処理回路３は水平同期信号が間引かれたラインと同一のライン、すなわち第ｎフィールドの偶数ラインと第ｎ＋１フィールドの奇数ラインの画像データＤｉを間引いて、間引き処理後の画像データＤｐを表示パネル４に出力する。
【００４０】
図１２は、第ｎフィールドにおいて偶数ラインに対応する水平同期信号ＨＤと画像データＤｉとを間引き、第ｎ＋１フィールドにおいて奇数ラインに対応する水平同期信号ＨＤと画像データＤｉと垂直同期信号ＶＤとを間引いた場合について示している。
第ｎフィールドの間引き処理後の水平同期信号ＨＳと間引き処理後の画像データＤｐは、奇数ラインで構成され、第ｎ＋１フィールドの間引き処理後の水平同期信号ＨＳと間引き処理後の画像データＤｐは、偶数ラインで構成されているので、第ｎフィールドの偶数ラインと第ｎ＋１フィールドの奇数ラインの画像データは表示されない。
【００４１】
このように、水平同期信号ＨＤと画像データＤｉは、入力された画像信号の水平同期周波数が予め設定された周波数より高い時に１／２に間引かれると同時に、間引き処理後の水平同期信号ＨＳと画像データＤｐは、１／２の周波数で表示パネル４に出力されるので、入力された画像信号の水平同期周波数が予め設定された周波数より高い場合であっても、表示パネル４に入力された画像信号の一部が間引かれた画像信号を表示することができる。
従って、画面を見ながら変更前の周波数に戻したり、表示パネル４に表示できる周波数以下に設定し直すことが可能となる。
【００４２】
図１３は、この発明の実施の形態４による画像表示方法を示す図である。
図１２に示したように、同期信号間引き回路１２が、入力された水平同期信号ＨＤと画像データＤｉから第ｎフィールドの偶数ラインと第ｎ＋１フィールドの奇数ラインを間引いて、入力された垂直同期信号ＶＤから第ｎ＋１フィールドを間引くので、表示パネル４の上半分に第ｎフィールドの奇数ラインが表示され、表示パネル４の下半分に第ｎ＋１フィールドの偶数ラインが表示される。
【００４３】
図１４は、この発明の実施の形態４による画像表示方法の別の一例を示す図である。
図１４に示したように、表示パネル４の上半分の領域に第ｎフィールドの奇数ラインのデータを表示し、下半分に第ｎ＋１フィールドの偶数ラインのデータを表示すると同時に、入力された画像信号の水平同期周波数が、表示パネル４に表示可能な予め設定された周波数の上限より高いことを示す警告や、入力された画像信号の水平同期周波数の変更を促すメッセージを、表示パネル４の一部に表示して、ユーザーに入力された画像信号の種類を変更するように通知することができる。
【００４４】
実施の形態５．
図１５は、この発明の実施の形態５における画像表示装置を示す図である。
図において、１３は少なくとも１フィールドの画像データを一時記憶するフィールドメモリ、１４は画像信号処理回路、Ｄｗはフィールドメモリに記憶される画像データ、Ｄｒはフレームメモリから読み出された画像データである。
次に動作について説明する。水平同期信号ＨＤが水平同期信号入力端子５に入力される。
また、垂直同期信号ＶＤが垂直同期信号入力端子６に入力される。一方、画像信号入力端子１には、例えばＲ，Ｇ，Ｂの３原色で構成される画像信号が入力される。
【００４５】
なお、入力される画像信号は、水平同期信号ＨＤと垂直同期信号ＶＤに同期している。水平同期信号ＨＤは同期処理回路７とクロック発生器９に入力される。
また、垂直同期信号ＶＤは同期信号処理回路７に入力される。同期信号処理回路７は、水平同期信号ＨＤと垂直同期信号ＶＤに対して所定の間引き処理を施し、間引き処理後の水平同期信号ＨＳと垂直同期信号ＶＳを画像信号処理回路１４と駆動回路１０に出力する。同期信号処理回路７の詳細の動作は後述する。
【００４６】
クロック発生回路９は入力された水平同期信号ＨＤから所定の周波数のクロックＣＫを発生する。クロック発生回路９が発生したクロックＣＫは、Ａ／Ｄ変換器２、画像信号処理回路１４、駆動回路１０に入力される。
Ａ／Ｄ変換器２は、入力されたクロックＣＫに基づいて、前記入力された画像信号をサンプリングしてディジタルの画像データＤｉに変換する。
Ａ／Ｄ変換器２で変換されたディジタルの画像データＤｉは、画像信号処理回路１４に入力される。画像信号処理回路１４は入力された画像データＤｉを、同期信号処理回路７で処理された水平同期信号ＨＳと垂直同期信号ＶＳを基準として所定の処理を行い、フィールドメモリ１３の所定の位置から決められた順番で画像データＤｗを記憶する。
【００４７】
さらに、画像信号処理回路１４は、フィールドメモリ１３に画像データを記憶すると同時に、すでに記憶されている画像データＤｒをフィールドメモリ１３から読み出す。駆動回路１０は、同期信号処理回路７で処理された水平同期信号ＨＳ、垂直同期信号ＶＳ、およびコントローラ８が出力する制御信号ＴＤから、表示パネル４の駆動信号ＤＳを生成する。
駆動回路１０が生成した駆動信号ＤＳが画像信号処理回路１４と表示パネル４に入力され、画像信号処理回路１４は、駆動信号ＤＳを基準として前記フレームメモリ１３から読み出した画像データＤｒに所定の処理を施して、処理後の画像データＤｐを表示パネル４に出力する。
表示パネル４は、画像信号処理回路１４が出力する画像データＤｐを、駆動回路１０が出力する駆動信号ＤＳに基づいて表示する。
【００４８】
次に、同期信号処理回路７の動作を図２に基づいて説明する。
水平同期信号入力端子５から入力された水平同期信号ＨＤと垂直同期信号入力端子６から入力された垂直同期信号ＶＤは、周波数計測器１１と同期信号間引き回路１２に入力される。
周波数計測器１１は、入力された水平同期信号ＨＤと垂直同期信号ＶＤの周波数を計測し、計測結果ＲＤをコントローラ８に出力する。
【００４９】
コントローラ８は周波数計測器１１が出力する計測結果ＲＤから入力された画像信号の種類を判別し、入力された画像信号の水平同期周波数が、予め設定された周波数より高い場合、より詳しくは、入力された１ラインの期間に１ライン分の処理ができないために表示パネル４に画像を正しく表示できないか、フィールドメモリ１３に画像データを書き込めない場合に、所定の割合で水平同期信号ＨＤを間引き処理するための制御信号ＴＤを同期信号間引き回路１２と駆動回路１０に出力する。
同期信号間引き回路１２はコントローラ８が出力する制御信号ＴＤにより、所定の割合で同期信号の間引き処理を行い、間引き処理後の水平同期信号ＨＳと垂直同期信号ＶＳを出力する。
【００５０】
次に、同期信号間引き回路１２および画像信号処理回路１４の動作を図１６に基づいて説明する。
同期信号間引き回路１２は、コントローラ８が出力する制御信号ＴＤに基づいて、入力された水平同期信号ＨＤから第ｎフィールドと第ｎ＋２フィールドの偶数ラインと、第ｎ＋１フィールドと第ｎ＋３フィールドの奇数ラインを間引いて、間引き処理後の水平同期信号ＨＳを出力する。
画像信号処理回路１４は、間引き処理後の水平同期信号ＨＳを基準に、水平同期信号が間引かれたラインと同一のライン、すなわち第ｎフィールドと第ｎ＋２フィールドの偶数ラインと、第ｎ＋１フィールドと第ｎ＋３フィールドの奇数ラインの画像データを間引き、第ｎフィールドと第ｎ＋２フィールドにおいて、奇数ラインの画像データＤｗをフィールドメモリ１３の奇数ラインのデータを記憶する領域に記憶し、第ｎ＋１フィールドと第ｎ＋３フィールドにおいて、偶数ラインの画像データＤｗをフィールドメモリ１３の偶数ラインのデータを記憶する領域に記憶する。
【００５１】
なお、画像信号処理回路１４がフィールドメモリ１３のデータを読み出すときは、偶数ラインと奇数ラインのデータを所定の順番で交互に読み出すことで、奇数ラインと偶数ラインの画像データを合成した画像データＤｐを表示パネル４に出力する。
このように間引き処理後の水平同期信号ＨＳは、入力された画像信号の水平同期周波数が、予め設定された周波数より高い時に１／２に間引かれると同時に、間引き処理後の水平同期信号ＨＳと画像データＤｗは、１／２の周波数で処理されるので、入力された画像信号の水平同期周波数が予め設定された周波数より高い場合であっても、表示パネル４に入力された画像信号の一部が間引きされた画像信号を表示することができる。
即ち、画面を見ながら変更前の周波数に戻したり、表示パネル４に表示できる周波数以下に設定し直すことが可能となる。
【００５２】
なお、本実施の形態において、フィールドメモリ１３への画像信号の書き込みと読み出しを非同期に制御することによって、表示パネル４が対応可能な水平周波数の上限よりもフィールドメモリ１３にデータを書き込める水平周波数の上限が高い場合に、フィールドメモリ１３が対応可能な水平周波数まで、入力される水平同期信号を間引かなくて良いため、対応可能な水平周波数の上限が高くすることもできる。
【００５３】
図１７は、この発明の実施の形態５における画像表示方法の１例を示す図であり、より詳しくは、同期信号間引き回路１２が図１６に示した同期信号処理を行った場合の４フィールド期間における表示パネル４の表示画像を示している。
表示パネル４には、順次、第ｎ−１フィールドの偶数ラインと第ｎフィールドの奇数ラインが合成された画像、第ｎフィールドの奇数ラインと第ｎ＋１フィールドの偶数ラインが合成された画像、第ｎ＋１フィールドの偶数ラインと第ｎ＋２フィールドの奇数ラインが合成された画像、第ｎ＋２フィールドの奇数ラインと第ｎ＋３フィールドの偶数ラインが合成された画像が表示される。
【００５４】
図１８は、この発明の実施の形態５における画像表示方法の別の一例を示す図である。
図１８に示したように、表示パネル４に異なるフィールドの奇数ラインと偶数ラインの画像データを合成して表示すると同時に、入力された画像信号の水平同期周波数が、表示パネル４に表示可能な予め設定された周波数の上限より高いことを示す警告や、入力された画像信号の水平同期周波数の変更を促すメッセージを、表示パネル４の一部に表示して、ユーザーに入力された画像信号の種類を変更するように通知することができる。
【００５５】
【発明の効果】
この発明による画像表示装置は、入力されたカラー画像信号の同期信号に基づいて所定の周波数と位相のクロックを発生して出力するクロック発生手段と、入力されたカラー画像信号を前記クロックでサンプリングしてディジタルの画像信号に変換するＡ／Ｄ変換手段と、同期信号に基づいて入力されたカラー画像信号の種類を判別する水平同期周波数判別手段と、水平同期周波数判別手段の判別結果に基づいて入力された同期信号に対して所定の間引き処理を行い、間引き処理後の同期信号を出力する同期信号処理手段と、同期信号処理手段からの間引き処理後の同期信号に基づいて、間引きされた同期信号に対応する画像信号をＡ／Ｄ変換手段より入力された画像信号から間引いて出力する画像信号処理手段と、画像信号処理手段から出力される画像信号を表示パネルに表示させる画像表示手段とを備えているので、入力された画像信号の同期信号が表示パネルに表示できないような予め設定された周波数より高い場合であっても、表示パネルには入力された画像信号の一部が間引かれた画像を表示することが可能となり、画面を見ながら同期周波数を容易に再設定できる画像表示装置を実現することができる。
【００５６】
また、この発明に係る画像表示装置の同期信号処理手段は、入力された画像信号の偶数ラインあるいは奇数ラインの画像信号のいずれか一方に対応する水平同期信号を入力された同期信号から間引くので、入力された画像信号の同期信号が表示パネルに表示できないような予め設定された周波数より高い場合であっても、表示パネルには入力された画像信号の１ライン毎に間引かれた画像を表示することが可能となり、画面を見ながら同期周波数を容易に再設定できる画像表示装置を簡易な同期信号間引き手段で実現することができる。
【００５７】
また、この発明に係る画像表示装置の同期信号処理手段は、入力された画像信号のｎフィールド目（ｎは正の整数）は偶数ラインに対応する水平同期信号を、ｎ＋１フィールド目は奇数ラインに対応する水平同期信号を、入力された同期信号から間引くので、入力された画像信号の同期信号が表示パネルに表示できないような予め設定された周波数より高い場合であっても、表示パネルには入力された画像信号のフィールド毎に奇数ラインの画像信号と偶数ラインの画像信号が交互に間引かれた画像を表示することが可能となり、画面を見ながら同期周波数を容易に再設定できる画像表示装置を実現することができる。
さらに、入力された画像が静止している場合には、時間軸方向に１／２の割合ですべての情報が表示できるという効果もある。
【００５８】
また、この発明に係る画像表示装置の同期信号処理手段は、入力された画像信号のｎフィールド目（ｎは正の整数）あるいはｎ＋１フィールド目のいずれか一方に対応する垂直同期信号を、入力された同期信号からさらに間引くので、入力された画像信号の同期信号が表示パネルに表示できないような予め設定された周波数より高い場合であっても、表示パネルには入力された画像信号のｎフィールド目の画像の一部（例えば、偶数ラインの画像信号）とｎ＋１フィールド目の画像の一部（例えば、奇数ラインの画像信号）を画面の上下の領域において同時に表示することが可能となり、画面を見ながら同期周波数を容易に再設定できる画像表示装置を実現することができる。
さらに、奇数ラインと偶数ラインの画像が異なる場合であっても、フリッカを起こすことなく、すべての情報が表示できるという効果もある。
【００５９】
また、この発明に係る画像表示装置は、少なくとも１フィールド分の奇数ラインおよび偶数ラインの画像データを記憶する記憶手段を備え、同期信号処理手段は、入力された画像信号のｎフィールド目の偶数ラインに対応する水平同期信号と、ｎ＋１フィールド目の奇数ラインに対応する水平同期信号とを間引いて、間引き処理後の同期信号を出力するとともに、画像信号処理手段は、同期信号処理手段からの前記間引き処理後の同期信号に基づいて、ｎフィールド目の奇数ラインの画像信号とｎ＋１フィールド目の偶数ラインの画像信号をそれぞれ順次記憶手段に書き込んで記憶させ、記憶手段から画像信号を読み出す際には、記憶された各ラインの画像信号を所定の順番で順次読み出して、ｎフィールド目の奇数ラインの画像信号とｎ＋１フィールド目の偶数ラインの画像信号を合成して出力するように構成しているので、入力された画像信号の同期信号が表示パネルに表示できないような予め設定された周波数より高い場合であっても、表示パネルには記憶手段に記憶されたｎフィールド目の奇数ラインとｎ＋１フィールド目の偶数ラインの画像データを合成して表示することが可能となり、画面を見ながら同期周波数を容易に再設定できる画像表示装置を実現することができる。
さらに、入力された画像が静止している場合、間引き処理を行っていない画像と同等の画像が表示できるという効果もある。
【００６０】
また、この発明に係る画像表示装置は、入力された画像信号を間引いて表示する際に、入力されている画像信号が表示パネルに対応していないことを示す警告、または、入力されている画像信号の種類の変更を指示するメッセージを表示パネルの一部に表示するようにしたので、ユーザーに対して入力された画像信号の種類を変更するように通知することができる画像表示装置を実現できる。
【００６１】
また、この発明に係る画像表示方法は、表示パネルに画像信号を表示する画像表示装置の画像表示方法であって、入力された画像信号の水平同期信号の周波数が予め設定された周波数より高い場合には、入力された画像信号を間引くことにより、入力された画像信号の一部を表示するので、入力された画像信号の同期信号が表示パネルに表示できないような予め設定された周波数より高い場合であっても、表示パネルには入力された画像信号の一部が間引かれた画像を表示することが可能となり、画面を見ながら同期周波数を容易に再設定できる画像表示方法を得ることができる。
【００６２】
また、この発明に係る画像表示方法は、入力された画像信号を間引く際に、偶数ラインか奇数ラインのどちらか一方の画像信号を間引いて表示するので、入力された画像信号の同期信号が表示パネルに表示できないような予め設定された周波数より高い場合であっても、表示パネルには入力された画像信号の１ライン毎に間引かれた画像を表示することが可能となり、画面を見ながら同期周波数を容易に再設定できる画像表示方法を簡易な同期信号間引き方法でもって得ることができる。
【００６３】
また、この発明に係る画像表示方法は、入力された画像信号を間引く際に、フィールド毎に偶数ラインと奇数ラインの画像信号を交互に間引いて、入力された画像信号の一部を表示するので、入力された画像信号の同期信号が表示パネルに表示できないような予め設定された周波数より高い場合であっても、表示パネルには入力された画像信号のフィールド毎に奇数ラインの画像信号と偶数ラインの画像信号が交互に間引かれた画像を表示することが可能となり、画面を見ながら同期周波数を容易に再設定できる画像表示方法を得ることができる。
さらに、入力された画像が静止している場合には、時間軸方向に１／２の割合ですべての情報が表示できるという効果もある。
【００６４】
また、この発明に係る画像表示方法は、入力された画像信号を間引く際に、ｎフィールド目は偶数ラインの画像信号を間引き、ｎ＋１フィールド目は奇数ラインの画像信号を間引いて、表示パネルの一部にｎフィールド目の奇数ラインの画像を表示し、残りの部分にｎ＋１フィールド目の偶数ラインの画像を表示するので、入力された画像信号の同期信号が表示パネルに表示できないような予め設定された周波数より高い場合であっても、表示パネルには入力された画像信号のｎフィールド目の画像の一部（例えば、偶数ラインの画像信号）とｎ＋１フィールド目の画像の一部（例えば、奇数ラインの画像信号）を画面の上下の領域において同時に表示することが可能となり、画面を見ながら同期周波数を容易に再設定できる画像表示方法を得ることができる。
さらに、奇数ラインと偶数ラインの画像が異なる場合であっても、フリッカを起こすことなく、すべての情報が表示できるという効果もある。
【００６５】
また、この発明に係る画像表示方法は、入力された画像信号を間引く際に、ｎフィールド目は偶数ラインを間引き、ｎ＋１フィールド目は奇数ラインを間引いて、表示パネルの奇数ラインにｎフィールド目の奇数ラインの画像を表示し、表示パネルの偶数ラインにｎ＋１フィールド目の偶数ラインの画像を表示するので、入力された画像信号の同期信号が表示パネルに表示できないような予め設定された周波数より高い場合であっても、表示パネルにはｎフィールド目の奇数ラインとｎ＋１フィールド目の偶数ラインの画像データを合成して表示することが可能となり、画面を見ながら同期周波数を容易に再設定できる画像表示方法を得ることができる。
さらに、入力された画像が静止している場合、間引き処理を行っていない画像と同等の画像が表示できるという効果もある。
【００６６】
また、この発明に係る画像表示方法は、入力された画像信号を間引く際に、入力されている画像信号が表示パネルに対応していないことを示す警告、または、入力されている画像信号の種類の変更を指示するメッセージを表示パネルの一部に表示するので、ユーザーに対して入力された画像信号の種類を変更するように通知することができる画像表示方法を得ることができる。
【図面の簡単な説明】
【図１】  実施の形態１における画像表示装置の構成を示す図である。
【図２】  実施の形態１における同期信号処理回路を示す図である。
【図３】  実施の形態１における同期信号および画像信号の間引き処理を説明するための図である。
【図４】  実施の形態１における画像表示方法を示す図である。
【図５】  実施の形態１における画像表示方法を示す図である。
【図６】  実施の形態２における同期信号および画像信号のの間引き処理を説明するための図である。
【図７】  実施の形態２における画像表示方法を示す図である。
【図８】  実施の形態２における画像表示方法を示す図である。
【図９】  実施の形態３における同期信号および画像信号のの間引き処理を説明するための図である。
【図１０】  実施の形態３における画像表示方法を示す図である。
【図１１】  実施の形態３における画像表示方法を示す図である。
【図１２】  実施の形態４における同期信号および画像信号のの間引き処理を説明するための図である。
【図１３】  実施の形態４における画像表示方法を示す図である。
【図１４】  実施の形態４における画像表示方法を示す図である。
【図１５】  実施の形態５における画像表示装置の構成を示す図である。
【図１６】  この発明の実施の形態５における同期信号および画像信号の間引き処理を説明するための図である。
【図１７】  実施の形態５における画像表示方法を示す図である。
【図１８】  実施の形態５における画像表示方法を示す図である。
【図１９】  従来の画像表示装置の構成を示す図である。
【符号の説明】
１  画像信号入力端子            ２  Ａ／Ｄ変換器
３  画像信号処理回路            ４  表示パネル
５  水平同期信号入力端子        ６  垂直同期信号入力端子
７  同期信号処理回路            ８  コントローラ
９  クロック発生回路          １０  駆動回路
１１  周波数計測器              １２  同期信号間引き回路
１３  フィールドメモリ          １４  画像信号処理回路
【図１】
0003837932.tif 000002
【図２】
0003837932.tif 000003
【図３】
0003837932.tif 000004
【図４】
0003837932.tif 000005
【図５】
0003837932.tif 000006
【図６】
0003837932.tif 000007
【図７】
0003837932.tif 000008
【図８】
0003837932.tif 000009
【図９】
0003837932.tif 000010
【図１０】
0003837932.tif 000011
【図１１】
0003837932.tif 000012
【図１２】
0003837932.tif 000013
【図１３】
0003837932.tif 000014
【図１４】
0003837932.tif 000015
【図１５】
0003837932.tif 000016
【図１６】
0003837932.tif 000017
【図１７】
0003837932.tif 000018
【図１８】
0003837932.tif 000019
【図１９】
0003837932.tif 000020